(57)【要約】【課題】  人の頭部に対してブラシとして用いることが可能なマッサージ効果のあるマッサージ器具であって、指で小さく円を描くような振動を生じさせることが可能なマッサージ器具を提供すること。特に、人の頭部の洗浄の際に、ブラシとして用いることが可能なマッサージ効果のあるマッサージ器具を提供すること。さらに、マッサージ効果を高めるために、特殊の素材から成るマッサージ器具を提供すること。【解決手段】  ブリッスルを有するブラシ本体部と、把持部を有する上蓋と、振動を生じさせる振動部と、を備えたマッサージ器具であって、前記振動部は、モーターと該モーターの回転軸に取り付けられた偏心錘とを備え、前記モーターの回転軸の方向と前記ブリッスルの長手方向とは、１０度乃至２０度の角をなすことを特徴とするマッサージ器具。【選択図】  図１
2008119016.tif 000002
【特許請求の範囲】
【請求項１】
ブリッスルを有するブラシ本体部と、把持部を有する上蓋と、振動を生じさせる振動部と、を備えたマッサージ器具であって、
前記振動部は、モーターと該モーターの回転軸に取り付けられた偏心錘とを備え、
前記ブリッスルの短手方向面と前記モーターの回転軸の方向とは、１０度乃至２０度の角をなすことを特徴とするマッサージ器具。
【請求項２】
前記ブリッスルの短手方向面と前記モーターの回転軸の方向とは、１５度の角をなすことを特徴とする請求項１記載のマッサージ器具。
【請求項３】
前記ブリッスルは、ゲルマニウムが混入された熱可塑性エラストマー、ゴム又はプラスチックからなることを特徴とする請求項１又は２記載のマッサージ器具。
【請求項４】
ブリッスルを有するブラシ本体部と、把持部を有する上蓋と、を備えたマッサージ器具であって、
前記ブリッスルは、ゲルマニウムが混入された熱可塑性エラストマー、ゴム又はプラスチックからなることを特徴とするマッサージ器具。
【発明の詳細な説明】
【技術分野】
【０００１】
本発明は、マッサージ効果のあるマッサージ器具に係り、特に人の頭部に対してブラシとして用いることが可能なマッサージ効果のあるマッサージ器具に関する。
さらに詳細には、人の頭部の洗浄の際に、ブラシとして用いることが可能なマッサージ効果のあるマッサージ器具に関する。
【背景技術】
【０００２】
従来、マッサージ効果を得るために、様々なマッサージ器具やマッサージ機器が用いられてきた。
このようなマッサージ器具又はマッサージ機器としては、たとえば、棒の先にゴム状のものが付いていて人の手の届かない箇所を叩くマッサージ棒や、椅子の背面に電動のマッサージ装置を組み込んだマッサージチェアなど、種々のものが挙げられる。
このように多くのマッサージ器具又はマッサージ機器が世の中に存在するが、人の頭部のマッサージ器具、特に、人の頭部の洗浄の際にブラシとして用いることが可能なマッサージ器具の例は、あまり多くは存在していなかったといえる。
【０００３】
このような洗浄時にブラシとして用いることがマッサージ器具の例としては、下記の特許文献１に開示されているようなものがある。
当該特許文献１に開示されているマッサージ用ブラシは、図５記載のように、把持部１０３を有するブラシ基台１０１と、ブリッスル１０４を有するブラシ毛台１０３とを備えた構成となっている。
当該マッサージ用ブラシは、当該把持部１０２の立設位置をブラシ基台１０１の中央部とするとともに、当該把持部１０２の上端部分１０５を当該把持部１０２よりも大きな形状とすることによって、人が当該マッサージ用ブラシを持ち易いようにしたものとなっている。
【０００４】
しかしながら、当該マッサージ用ブラシには、次のような問題点があった。
すなわち、当該マッサージ用ブラシを用いるためには、人が手で握ったあとに、その人が実際に自分自身の手や腕を動かして、頭を軽くポンポンと叩いたり、髪の毛を一定方向にブラッシングしたりしなければならない構成となっていたため、人の腕や手が疲れるという問題点があった。
この問題点は、腕や手の力が未発達な幼児や子供、逆に腕や手の力が衰えた老人が当該マッサージ用ブラシを用いる際に顕著なものであったといえる。
【０００５】
また、美容室や理容室のような、人の頭を日に何度も洗浄しなければならないような場においては、洗髪しなければならない数の多さゆえに腕や手が疲れることなく洗髪できる器具に対するニーズが存在していたが、前記のマッサージ用ブラシによれば、人が実際に手や腕を動かす必要がある構成であるため、かかるニーズに添うことができずにいた。
【０００６】
上記のようなニーズに一定程度は応え得るものとして、下記の特許文献２に記載されているような電動としたマッサージ用ブラシが従来から知られていた。
当該特許文献２に開示されているブラシ状マッサージ器は、図６記載のように、ブラシ部２０１とブラシ部２０１が固着されたブラシ状本体２０２との他に、偏心錘２０４を有するモーター２０３と、モーター２０３の動力源としての電池２０５と、を備えることによって、振動を発生させる構成となっている。
【０００７】
しかしながら、当該ブラシ状マッサージ器には、次のような問題点があった。
すなわち、当該ブラシ状マッサージ器は、電池２０５を格納するブラシ柄部２０６を有する構成であるため、ブラシ全体の形状が大きくなってしまい、美容室などにおける洗髪台や狭い浴室などでは邪魔になってしまうという問題点があった。
【０００８】
また、電動としただけでは優れたマッサージ効果を得られないという問題点もあった。
すなわち、頭部のマッサージは、指で小さく円を描くようにするのが良いといわれているところ、当該ブラシ状マッサージ器によれば、頭皮面に対して略垂直となる方向にブラシ部２０１の振動が生じるため、指で小さく円を描くような振動を生じさせることができず、マッサージ効果として良好のものを得ることができなかった。
【特許文献１】特開２００２−７８７６１
【特許文献２】実願平８−１２３２９
【発明の開示】
【発明が解決しようとする課題】
【０００９】
本発明は、上記のような背景に鑑みてなされたものであり、人の頭部に対してブラシとして用いることが可能なマッサージ効果のあるマッサージ器具であって、指で小さく円を描くような振動を生じさせることが可能であるとともに、頭皮に対して適度の刺激を与えることができるようなマッサージ器具を提供することを第１の目的とする。特に、人の頭部の洗浄の際に、ブラシとして用いることが可能なマッサージ効果のあるマッサージ器具を提供することを第１の目的とする。
さらに、マッサージ効果を高めるために、特殊の素材から成るマッサージ器具を提供することを第２の目的とする。
もっとも、これらの目的は典型的なものとして述べるに過ぎないものであり、以下に開示するマッサージ器具が人の頭部以外又は人以外の動物に対して用いられることを排斥する趣旨でない。
【課題を解決するための手段】
【００１０】
上記課題を解決するために、請求項１に記載のマッサージ器具は、ブリッスルを有するブラシ本体部と、把持部を有する上蓋と、振動を生じさせる振動部と、を備えたマッサージ器具であって、
前記振動部は、モーターと該モーターの回転軸に取り付けられた偏心錘とを備え、
前記ブリッスルの短手方向面と前記モーターの回転軸の方向とは、１０度乃至２０度の角をなすことを特徴とする。
【００１１】
請求項２に記載のマッサージ器具は、前記ブリッスルの短手方向面と前記モーターの回転軸の方向とは、１５度の角をなすことを特徴とする。
【００１２】
請求項３に記載のマッサージ器具は、前記ブリッスルは、ゲルマニウムが混入された熱可塑性エラストマー、ゴム又はプラスチックからなることを特徴とする。
【００１３】
請求項４に記載のマッサージ器具は、ブリッスルを有するブラシ本体部と、把持部を有する上蓋と、を備えたマッサージ器具であって、
前記ブリッスルは、ゲルマニウムが混入された熱可塑性エラストマー、ゴム又はプラスチックからなることを特徴とする。
【発明の効果】
【００１４】
本発明によれば、ブリッスルを有するブラシ本体部と、把持部を有する上蓋と、振動を生じさせる振動部と、を備えたマッサージ器具であって、前記振動部は、モーターと該モーターの回転軸に取り付けられた偏心錘とを備え、前記ブリッスルの短手方向面と前記モーターの回転軸の方向とは、１０度乃至２０度の角をなす構成となっているため、以下の効果を有する。
【００１５】
（１）ブリッスルの短手方向面とモーターの回転軸方向とが、平行又は略並行をなすのでなく、１０度乃至２０度の角をなす構成となっているため、マッサージ器具に生じる振動を、ブリッスルの長手方向でなく、ブリッスルの短手方向面上（本発明のマッサージ器具を頭部に対して用いた場合、頭皮に対して略同一平面上）に、円を描くような具合で波紋状に生じさせることができる。
（２）このような波紋状の振動を生じさせることができるため、本発明のマッサージ器具を頭部に対して用いた場合、頭部の毛根の老廃物を容易に除去することができる。
（３）また、ブリッスルの短手方向面とモーターの回転軸方向とが、直角又は略直角をなすのでなく、１０度乃至２０度の角をなす構成となっているため、本発明のマッサージ器具を頭部に対して用いた場合、ただ単に円を描くのでなく、頭皮に対して適度な刺激を与えることができる。
（４）このように本発明のマッサージ器具を頭部に対して用いた場合には、頭皮に対して適度な刺激を与えることができるので、頭部の血行を良くすることができる。
（５）さらに、本発明のマッサージ器具を頭部に対して用いた場合には、ブリッスルの素材として用いられている熱可塑性エラストマーにはゲルマニウムが混入されているため、かかる素材が用いられているということ自体によって、人の頭部でゲルマニウム効果を得ることができる。
（４）本発明では、振動部を備えているので、マッサージ器具が小型であるにもかかわらず、ゲルマニウム効果を頭部の至る所に万遍なく付与することができる（本発明のマッサージ器具を頭部に対して用いた場合。）。
（５）このように小型の器具によってゲルマニウム効果を頭部全体に付与することができるので（本発明のマッサージ器具を頭部に対して用いた場合。）、良好のコストパフォーマンスを得ることができる。
【００１６】
以上、本発明の効果を、本発明のマッサージ器具を人の頭部に用いた場合に即して述べたが、本発明のマッサージ器具が、人の胴体、四肢その他の人の身体の一部又は全体に用いられること、及び犬や猫などの動物に対して用いられることを排斥する趣旨でない。人の腕に対して用いられた場合には、当該腕に、上記（１）乃至（５）の効果が得られる。
【発明を実施するための最良の形態】
【００１７】
以下、いくつかの図面を参照して、本発明のマッサージ器具を実施するための最良の形態について説明する。
なお、これらの図面に関し、図面中の構成部材は実際のスケールに必ずしも忠実でない点に留意が必要である。スケールに忠実に描かれていない代わりに、本発明の原理ないし本質をより良く描写するためのアクセントが至る所に加えられている。さらに、図面中、同様の参照数字は、対応する構成部材を複数の図全体を通して指示するものであるという点に留意が必要である。
【００１８】
Ａ．構成
図１は、本発明のマッサージ器具１の全体的構成を図示する透視図である。
図１に示されているように、マッサージ器具１は全体的に略円形状ないし略楕円形状に形成されている。
マッサージ器具１は、把持部５を有する上蓋２と、ブリッスル４を有するブラシ本体部３（ブラシ本体部３については図３を参照。）と、を備えている。
【００１９】
「ブリッスル」の語は、一般的には、豚の毛からなる剛毛ないし荒い毛のことを意味するものとして用いられるが、本明細書による本発明の開示においては、毛の部分という程度の意味でしか用いられていない。したがって、「豚の毛」といったような限定を施す解釈は、特許請求の範囲を確定する際に避けられなければならない。
【００２０】
本発明のブリッスル４は、ゴム又はプラスチックであっても構わないが、熱可塑性エラストマーからなっていることが好ましい。このような素材が選択されるのは、ブリッスル４を成形する際の容易性を得ることの他、ブリッスル４を頭部に当接させた際に柔らかい振動を付与することを目的とするからである。
【００２１】
ブリッスル４の素材には、ゲルマニウムが混入されていると更に好ましい。
ここに、ゲルマニウムとは、原子番号３２の原子（Ｇｅ）であり、その電気的特性は生体に有益な効果がある。たとえば、ゲルマニウム（ゲルマニウムイオン）は血中の水素イオン（Ｈ＋）と素早く反応するため、水素イオンと血中酸素との活性酸素発生作用（１／２Ｏ２＋Ｈ＋＝ＯＨ−＋ｅ−）を防ぎ、血中酸素が無駄に消費されることなく生体に有効に用いられるという効果がある。この他にもゲルマニウムには多くの効果があるとされている。
【００２２】
ゲルマニウムの混入は、ゲルマニウム鉱石を粉末化して、ブリッスル４の全体又は一部に一般的に行われている方法によって行えば足りるが（これとともにブラシ本体部３にも混入させるのが望ましい。）、特殊な方法によって混入されていても構わない。たとえば、ブリッスル４の成形後に混入させるような方法であっても構わない。
【００２３】
把持部５は、マッサージ器具１の中心よりも前方部分へ偏った偏心位置に設けられており、把持部下部部分６から把持部上部部分７へ滑らかな弧を描くように形成されている。
このように滑らかな弧を描くように把持部５が形成されることによって、マッサージ器具１を手で握った際（典型的には人差指と中指との間に把持部５が来るような具合で握られるであろう。右手で握るか左手で握るかは、マッサージ器具１に関しては問題とならない。）の把持性、すなわち持ち易さが良好なものとなる。
【００２４】
把持部５には小穴８が設けられており、この小穴８は、たとえば小穴８に適当な紐を通すなどして、マッサージ器具１を浴室などの適当な掛止部材に掛止することが可能となるように設けられているものである。
上蓋２の前方部分には切換スイッチ９が設けられており、切換スイッチ９は電源のオン／オフ切換を行うためのものである。
【００２５】
図２は、マッサージ器具１を後方から見た場合における透視図である。図に示されているとおり、マッサージ器具１の上蓋２の後方に、電池挿入口１０、１１が設けられている。これらの電池挿入口１０、１１に電池が挿入された場合、電池挿入口１０、１１は、不図示の蓋によって閉じられる構成となっている。
図２では、電源として単三電池を２本用いた場合の実施形態を示しているが、電源として他の種類の電池又はその他の電力供給源を用いる場合には、これらの電池挿入口の形状は必然的に異なってくるであろう。
出願人は、このような変形の実施形態を特に排除する意思を有していない。
【００２６】
図３は、マッサージ器具１の内部構造を図示するための図面であり、マッサージ器具１の上蓋２を外した状態として描かれている。
単３電池１２、１３は、不図示の適当な電池ボックスによって固定されている。
【００２７】
これらの単３電池１２、１３の間であって、ブラシ本体部３の略中心部分には、マッサージ器具１に振動を生じさせるためのモーター１４が特別の構造で設けられており、モーター１４の回転軸１５の先端には偏心錘１６が取り付けられている。
【００２８】
ここで、モーター１４は、ブラシ本体部３に対して、次のような角度によって定義される位置関係で配設されている。
すなわち、図３に示されているとおり、ブリッスルの短手方向面とモーター１４の回転軸１５とが、１０度乃至２０度の角をなすように、モーター１４は、ポール１７、１８を介して、ブラシ本体部３に対して配設されている。さらに好ましくは、ブリッスルの短手方向面とモーターの回転軸１５とが、１５度の角をなすように、モーター１４を配設することが好ましい。
以上の角度によって定義される位置関係は、本実施形態のマッサージ器具を右側から見たものを示している図４に、より良く示されている。
【００２９】
本実施形態では、モーターを固定する手段としてポール１７、１８を用いているが、モーター１４を上記の位置関係に固定しうるものであれば、どのような物を用いても構わない。
【００３０】
上記のような角度によって定義される位置関係にモーター１４を配設することによって、指で円を描いたような振動をマッサージ器具１に生じさせることができるとともに、頭皮に対して適度の刺激を与えることができるので、マッサージ効果が極めて高められる。
【００３１】
なお、図３、図４中、モーター１４（モーター１４の偏心錘１６のある側）は、前方を向き、且つ下を向いているが、上記に定義される角度関係（曲面上）であれば、たとえば、後方、上又は右若しくは左を向いていてもかまわない。
【００３２】
以上のような位置関係に設けられたモーター１４は、前述の単３電池１２、１３と、不図示の導線及び切換スイッチ９を介して接続されている。
【００３３】
Ｂ．作用
以下では、上記に述べた構成のマッサージ器具の作用について説明する。
一例として、浴室などで洗髪する場面に即して説明する。
【００３４】
まず、濡れた状態の髪の毛にシャンプー液をつけ、人差指と中指とで把持部５を挟むようにしてマッサージ器具１を手で握り、切換スイッチ９を人差指又は中指で操作することによって、電源をオンにする。
【００３５】
電源をオンにすると、マッサージ器具１の特殊な内部構造のため、あたかも円を描いたかのような振動が発生する。
すなわち、マッサージ器具１内部のモーター１４は、ブリッスルの短手方向面とモーター１４の回転軸１５とが、１０度〜２０度の角、好ましくは１５度の角、をなすように配置されているので、掌と略同一平面上に、あたかも円を描いたかのような振動が生じる。
【００３６】
このような振動が発生したマッサージ器具１を、次いで、シャンプー液で浸された髪に軽く当てる。
【００３７】
そうすると、マッサージ器具１に発生した振動のため、洗髪を行うことができる。
また、洗髪と同時に、頭皮のマッサージ法として好ましいとされている「指で小さく円を描くようなマッサージ」を行うこともできる。
【００３８】
加えて、頭皮に対して接線方向だけでなく垂直方向にも振動が生じているので、頭皮に対して適度な刺激を与えることができる。
【００３９】
さらには、ブリッスル４に混入されているゲルマニウムの効果が、マッサージ器具１に生じている振動のため頭部の至る所に万遍なく及ぶこととなる。
【００４０】
本発明の上記実施形態は、何れも最良の実施形態としての単なる例に過ぎず、本発明の原理や構造等をより良く理解することができるようにするために述べられたに止まるものである。
したがって、本発明の上記実施形態に対してなされ得る多種多様な変形及び修正はすべて、本明細書が開示する本発明の範囲内に含まれるものであり、添付の特許請求の範囲によって保護されるものであると解さなければならない。
また、上記実施形態では、本発明のマッサージ器具を人の頭部に用いた場合に即して述べたが、本発明のマッサージ器具が、人の胴体、四肢その他の人の身体の一部又は全体に用いられること、及び犬や猫などの動物に対して用いられることを排斥する趣旨でない。
したがって、本発明のマッサージ器具によって保護される特許請求の範囲には、人の頭部以外に用いられる場合、及び動物に対して用いられる場合も含まれるものと解さなければならない。
【図面の簡単な説明】
【００４１】
【図１】図１は本発明のマッサージ器具の全体的な透視図である。
【図２】図２は本発明のマッサージ器具を後方から見た場合の透視図である。
【図３】図３は本発明のマッサージ器具の内部構成を示す透視図である。
【図４】図４は本発明のマッサージ器具内部に配設されているモーターの位置関係を図示するための側面図である。
【図５】図５は従来のマッサージ器具の透視図である。
【図６】図６は従来のマッサージ器具の透視図である。
【符号の説明】
【００４２】
２  上蓋
３  ブラシ本体部
４  ブリッスル
５  把持部
１４  モーター（振動部）
１５  回転軸（振動部）
１６  偏心錘（振動部）
【図１】
2008119016.tif 000003
【図２】
2008119016.tif 000004
【図３】
2008119016.tif 000005
【図４】
2008119016.tif 000006
【図５】
2008119016.tif 000007
【図６】
2008119016.tif 000008